(57)【要約】【課題】  携帯端末の電源を切らなくても、通話を不可とするエリアでは呼び出しを行わず、通話可能エリアに戻ったら復帰して呼び出しが可能となるナースコールシステムを提供する。【解決手段】  制御機５が個々のアクセスポイント９に対して携帯端末４毎の呼出実施の可否を記憶する呼出可否テーブル記憶部と、携帯端末が現在所属しているアクセスポイント９を記憶する端末所属記憶部５３とを備え、ナースコール子機１、ナースコール親機３、携帯端末４の何れかから携帯端末４に対して呼び出しが成されたら、端末所属記憶部５３及び呼出可否テーブル記憶部５２の情報を基に、携帯端末４に対する呼出制御を実施する。【選択図】  図１
2015130622.tif 000002
【特許請求の範囲】
【請求項１】
患者が看護師を呼び出すためのナースコール子機と、呼出発生を報知する廊下灯と、患者からの呼び出しに応答するためのナースコール親機及び携帯端末と、それらの機器間の通信を制御する制御機とを有し、前記廊下灯、前記ナースコール親機、前記制御機の間が通信ネットワークを介して接続されて成るナースコールシステムにおいて、
前記携帯端末は、アクセスポイント及びＩＰ交換機を介して前記制御機と通信を実施し、
前記制御機或いは前記ＩＰ交換機が、前記アクセスポイント毎に前記携帯端末の呼出実施の可否を記憶する呼出可否テーブル記憶部と、前記携帯端末が現在所属しているアクセスポイントを記憶する端末所属記憶部とを備え、
前記制御機は、前記ナースコール子機、前記ナースコール親機、前記携帯端末の何れかから任意の前記携帯端末に対して呼び出しが成されたら、前記端末所属記憶部の情報及び前記呼出可否テーブル記憶部の情報を基に、前記携帯端末に対する呼出制御を実施する携帯呼出制御部とを有することを特徴とするナースコールシステム。
【請求項２】
患者が看護師を呼び出すためのナースコール子機と、呼出発生を報知する廊下灯と、患者からの呼び出しに応答するためのナースコール親機及び携帯端末と、それらの機器間の通信を制御する制御機とを有し、前記廊下灯、前記ナースコール親機、前記制御機の間が通信ネットワークを介して接続されて成るナースコールシステムにおいて、
前記携帯端末は、アクセスポイント及びＩＰ交換機を介して前記制御機と通信を実施し、
前記制御機或いは前記ＩＰ交換機が、前記携帯端末が現在所属しているアクセスポイントを記憶する端末所属記憶部を備え、
前記制御機は、前記アクセスポイント毎に個々の看護師の呼出実施の可否を記憶する呼出可否テーブル記憶部と、
前記携帯端末と看護師との関連付けを記憶する看護師端末記憶部と、
前記ナースコール子機、前記ナースコール親機、前記携帯端末の何れかから任意の前記携帯端末に対して呼び出しが成されたら、前記端末所属記憶部の情報、前記看護師端末記憶部の情報及び前記呼出可否テーブル記憶部の情報を基に、前記携帯端末に対する呼出制御を実施する携帯呼出制御部とを有することを特徴とするナースコールシステム。
【請求項３】
前記呼出可否テーブル記憶部には、前記アクセスポイント毎に呼出種別に応じた呼出実施の可否が登録されていることを特徴とする請求項１又は２記載のナースコールシステム。
【請求項４】
前記制御機は、前記アクセスポイントから、前記アクセスポイントに所属している前記携帯端末の情報を定期的に又は変更される毎に前記ＩＰ交換機を介して入手し、前記端末所属記憶部を書き換える書換制御部を有することを特徴とする請求項１乃至３の何れかに記載のナースコールシステム。
【請求項５】
前記携帯呼出制御部は、呼び出しが禁止されている前記アクセスポイントに所属している前記携帯端末であっても、当該携帯端末から前記ナースコール子機、前記ナースコール親機、更には他の前記携帯端末に対して呼び出しが行われたら、呼出制御を実施することを特徴とする請求項１乃至４の何れかに記載のナースコールシステム。
【発明の詳細な説明】
【技術分野】
【０００１】
本発明はナースコールシステムに関し、特に看護師が携行する携帯端末を備えたナースコールシステムに関する。
【背景技術】
【０００２】
個々の看護師が携帯端末を携行して、患者からナースコール呼出が発生したら携帯端末に呼び出しが通知され、携帯端末を使用して応答することができるナースコールシステムが普及している。このように看護師が携帯端末を携行することで、患者を待たせること無く応答できるし看護師がその場で応答できるため、患者と看護師の双方にとって都合の良いシステムとなっている（例えば、特許文献１参照）。
【先行技術文献】
【特許文献】
【０００３】
【特許文献１】特開２００５−７９８５７号公報
【発明の概要】
【発明が解決しようとする課題】
【０００４】
しかしながら、病院内であっても会議をしている状況の看護師に対して呼び出しをするのは好ましくないし、手術室での携帯端末の使用は通常禁止されている。そのため、携帯端末の使用が好ましくないエリアでは電源オフ操作が不可欠となっている。
ところが、電源オフしたのは良いが、その後通話可能エリアに戻ってもオン操作し忘れてしまうと、長時間に亘り呼び出すことができず、携帯端末を携行する意味が無くなってしまう問題があった。
【０００５】
そこで、本発明はこのような問題点に鑑み、携帯端末の電源を切らなくても通話を不可とするエリアでは呼び出しが行われず、通話可能エリアに戻ったら復帰して呼び出しが可能となるナースコールシステムを提供することを目的としている。
【課題を解決するための手段】
【０００６】
上記課題を解決する為に、請求項１の発明は、患者が看護師を呼び出すためのナースコール子機と、呼出発生を報知する廊下灯と、患者からの呼び出しに応答するためのナースコール親機及び携帯端末と、それらの機器間の通信を制御する制御機とを有し、廊下灯、ナースコール親機、制御機の間が通信ネットワークを介して接続されて成るナースコールシステムにおいて、携帯端末は、アクセスポイント及びＩＰ交換機を介して制御機と通信を実施し、制御機或いはＩＰ交換機が、アクセスポイント毎に携帯端末の呼出実施の可否を記憶する呼出可否テーブル記憶部と、携帯端末が現在所属しているアクセスポイントを記憶する端末所属記憶部とを備え、制御機は、ナースコール子機、ナースコール親機、携帯端末の何れかから任意の携帯端末に対して呼び出しが成されたら、端末所属記憶部の情報及び呼出可否テーブル記憶部の情報を基に、携帯端末に対する呼出制御を実施する携帯呼出制御部とを有することを特徴とする。
この構成によれば、呼び出しが禁止された例えば手術室に設置されたアクセスポイントに呼出先の携帯端末が所属している場合は、呼び出しを行わない。よって、携帯端末の電源をオフしなければならないエリアに電源をオンしたまま入っても不都合な事態が発生しない。更に、従来発生した電源オンし忘れにより、通話可能なエリアにおいて呼び出しできない事態が発生することも防止でき、看護業務をスムーズに遂行できる。
【０００７】
請求項２の発明は、患者が看護師を呼び出すためのナースコール子機と、呼出発生を報知する廊下灯と、患者からの呼び出しに応答するためのナースコール親機及び携帯端末と、それらの機器間の通信を制御する制御機とを有し、廊下灯、ナースコール親機、制御機の間が通信ネットワークを介して接続されて成るナースコールシステムにおいて、携帯端末は、アクセスポイント及びＩＰ交換機を介して制御機と通信を実施し、制御機或いはＩＰ交換機が、携帯端末が現在所属しているアクセスポイントを記憶する端末所属記憶部を備え、制御機は、アクセスポイント毎に個々の看護師の呼出実施の可否を記憶する呼出可否テーブル記憶部と、携帯端末と看護師との関連付けを記憶する看護師端末記憶部と、ナースコール子機、ナースコール親機、携帯端末の何れかから任意の携帯端末に対して呼び出しが成されたら、端末所属記憶部の情報、看護師端末記憶部の情報及び呼出可否テーブル記憶部の情報を基に、携帯端末に対する呼出制御を実施する携帯呼出制御部とを有することを特徴とする。
この構成によれば、呼び出しが禁止された例えば手術室に設置されたアクセスポイントに呼出先の携帯端末が所属している場合は、呼び出しを行わない。よって、携帯端末の電源をオフしなければならないエリアに電源をオンしたまま入っても不都合な事態が発生しない。そして、従来発生した電源オンし忘れにより、通話可能なエリアにおいて呼び出しできない事態が発生することも防止でき、看護業務をスムーズに遂行できる。
更に、携帯端末を携行する看護師に応じて呼び出すエリアの広さを設定するため、携行する携帯端末が変更されてもスムーズな呼出を実施できるし、例えば看護師長は他の看護師に比べて呼び出し可能エリアを広くでき、利便性が良い。
【０００８】
請求項３の発明は、請求項１又は２に記載の構成において、呼出可否テーブル記憶部には、アクセスポイント毎に呼出種別に応じた呼出実施の可否が登録されていることを特徴とする。
この構成によれば、患者からの呼び出しを禁止するアクセスポイントであっても、例えば緊急度の高い看護師が応援を呼ぶスタッフコール呼出は呼び出し可にできるため、緊急度の高い呼び出しにあってはエリアを広く設定でき利便性が向上する。
尚、呼出種別とは通常呼出や緊急呼出等の種別をいい、例えば患者によるナースコール子機押下操作による呼び出しは通常呼出、看護師が応援を呼ぶためにナースコール子機に設けられているスタッフコールボタンを操作した場合の呼び出しは緊急呼出に対応する。
【０００９】
請求項４の発明は、請求項１乃至３の何れかに記載の構成において、制御機は、アクセスポイントから、アクセスポイントに所属している携帯端末の情報を定期的に又は変更される毎にＩＰ交換機を介して入手し、端末所属記憶部を書き換える書換制御部を有することを特徴とする。
この構成によれば、制御機には常に携帯端末の現在位置が登録されるため、呼出禁止エリアで呼び出しが行われてしまうような事態が発生することがない。
【００１０】
請求項５の発明は、請求項１乃至４の何れかに記載の構成において、携帯呼出制御部は、呼び出しが禁止されているアクセスポイントに所属している携帯端末であっても、当該携帯端末からナースコール子機、ナースコール親機、更には他の携帯端末に対して呼び出しが行われたら、呼出制御を実施することを特徴とする。
この構成によれば、呼出禁止に設定されているアクセスポイントに所属している携帯端末であっても、他の機器を呼び出すことができる。よって、呼出操作したい場合にわざわざ移動して所属するアクセスポイントを変更する必要が無く、スムーズな看護業務の遂行に役立つ。
【発明の効果】
【００１１】
本発明によれば、例えば呼び出しが禁止された会議室等に設置されたアクセスポイントに呼出先の携帯端末が所属している場合は、呼び出しを行わない。よって、携帯端末の電源をオフしなければならないエリアに電源をオンしたまま入っても不都合な事態が発生しない。更に、従来発生した電源オンし忘れにより、通話可能なエリアにおいて呼び出しできない事態が発生することも防止できる。
【図面の簡単な説明】
【００１２】
【図１】本発明に係るナースコールシステムの一例を示す構成図である。
【図２】制御機の要部回路ブロック図である。
【図３】呼出先記憶部が記憶する看護師と携帯端末との関連付けの一例を示すテーブル図である。
【図４】端末所属記憶部の記憶情報の一例を示すテーブル図である。
【図５】呼出可否テーブル記憶部が記憶する可否情報の一例を示すテーブル図である。
【図６】本発明のナースコールシステムの他の例を示す制御機の要部回路ブロック図である。
【図７】呼出可否テーブル記憶部が記憶する可否情報の他の例を示すテーブル図である。
【図８】看護師優先度記憶部が記憶する優先度情報の一例を示すテーブル図である。
【発明を実施するための形態】
【００１３】
以下、本発明を具体化した実施の形態を、図面を参照して詳細に説明する。図１は本発明に係るナースコールシステムの一例を示す構成図であり、１は患者が看護師を呼び出すためにベッド毎に設置されたナースコール子機（以下、単に「子機」と称する。）、２は病室の入口に設置されて呼び出しの発生を報知する廊下灯、３はナースステーションに設置されて患者からの呼び出しに応答するためのナースコール親機（以下、単に「親機」と称する。）、４は看護師が携行する携帯端末、５は機器間の通信を制御する制御機、６は患者情報を蓄積するナースコールサーバ、８は携帯端末４の通話接続を行うためのＩＰ交換機、９は携帯端末４と制御機５との通信を中継するアクセスポイントである。
【００１４】
廊下灯２、親機３、制御機５、ナースコールサーバ６、ＩＰ交換機８、及びアクセスポイント９はＬＡＮ１３を介して接続され、これらの機器はインターネットプロトコルにより通信が行われる。また、子機１は伝送線Ｌ１を介して廊下灯２に接続され、１４はルーターである。
【００１５】
子機１は、患者が看護師を呼び出すナースコール呼出を実施する呼出握りボタン１ａと、呼出握りボタン１ａが接続されると共に、看護師が応援を呼ぶためのスタッフコールボタン１１、看護師と通話するためのマイク及びスピーカを備えたプレート子機１ｂとで構成され、病室毎に廊下灯２に接続されている。
【００１６】
廊下灯２は、呼び出しが発生したら点滅或いは点灯して呼出発生を報知する通知灯２ａ、設置した病室の患者情報を表示する患者情報表示部２ｂを有し、子機１がナースコール呼出操作されたら呼出信号をＬＡＮ１３を介して制御機５に送信する。
【００１７】
親機３は、呼び出しに応答するためのハンドセット３１、患者情報や各種情報を表示する表示部３２を備えた卓上親機３ａと、パーソナルコンピュータから成り患者情報の入力や表示を行うＰＣ親機３ｂとで構成されている。
【００１８】
携帯端末４は、アクセスポイント９を介してインターネットプロトコルにより制御機５と通信を実施するＩＰ通信端末であり、各種情報を表示するディスプレイ４ａを備えたスマートフォンと称される端末が使用される。
【００１９】
図２は制御機５の要部を回路ブロックで示している。制御機５は、図２に示すように子機１毎の呼出先を記憶した呼出先記憶部５１、アクセスポイント９毎の携帯端末４の呼出可／不可を記憶する呼出可否テーブル記憶部５２、携帯端末４とアクセスポイント９の関連付けを記憶する端末所属記憶部５３、機器間の通信を制御すると共に制御機５の各回路を制御する制御機ＣＰＵ５４、ＬＡＮ１３を介して他の機器と通信するための制御機ＩＦ５５等を有している。尚、呼出先記憶部５１には子機１と看護師の関連付け即ち担当看護師情報や、看護師と携帯端末４の関連付け等が記憶されている。
【００２０】
このように構成されたナースコールシステムは動作は以下のようである。まず制御機５は、アクセスポイント９から所属している携帯端末４の端末ＩＤ情報を定期的に或いは変更があったときにＩＰ交換機８を介して通知を受け、制御機ＣＰＵ５４が受信した情報により呼出可否テーブル記憶部５２の書き換えを行う。こうして、現在の携帯端末４の位置、即ち所属しているアクセスポイント９を把握している。
【００２１】
患者が子機１を操作して呼び出し（ナースコール呼出）が行われると、呼出信号が廊下灯２を介して制御機５で受信される。この呼出信号を受信した制御機５は、親機３及び後述する特定の携帯端末４に対して呼出信号を送信し、呼出先の機器では呼出音が鳴動する。
ここで、携帯端末４の呼び出しについて、図３〜図５を参照して具体的に説明する。図３は呼出先記憶部５１が記憶する看護師と携帯端末４の関係（看護師ＩＤと携帯端末ＩＤの関係）を示し、図４は端末所属記憶部５３が記憶する携帯端末４が所属するアクセスポイント９（携帯端末ＩＤとアクセスポイントＩＤの関係）のテーブルを示し、図５は呼出可否テーブル記憶部５２が記憶するテーブルの一例を示している。
【００２２】
尚、図３に示す看護師と携帯端末４の関係はこの実施形態では固定されている。また、図５に示すように、通常呼出、緊急呼出等の呼出種別により呼出エリアが異なるよう設定されている。ナースコール呼出や他の携帯端末４からの呼び出しは通常呼出であり、スタッフコールボタン１１の操作や緊急呼出ボタン（図示せず）を操作した場合が緊急呼出となる。
【００２３】
呼出信号を受信した制御機５は、制御機ＣＰＵ５４の制御により呼出元の子機１に対応する携帯端末４を呼出先記憶部５１から特定する。制御機５は別途患者と看護師を関連付けたテーブルを記憶し、呼出元の患者（子機１）を担当している看護師（が携行する携帯端末４）を読み取る。ここでは、看護師Ｂ，Ｃ，Ｇの３人が担当看護師であり、呼出元の子機１に関連付けられているとして説明する。
【００２４】
呼出先の携帯端末４を患者と看護師を関連付けたテーブルから読み取ったら、端末所属記憶部５３から携帯端末４が所属しているアクセスポイント９を読み取る。図４から看護師Ｂが携行している携帯端末４（ＩＤ「００２」）はＩＤ「１１１」のアクセスポイント９に所属し、看護師Ｃが携行している携帯端末４（ＩＤ「００３」）はＩＤ「１１６」のアクセスポイント９に所属し、看護師Ｇが携行している携帯端末４（ＩＤ「００７」）はＩＤ「１１４」のアクセスポイント９に所属していることを把握する。
【００２５】
次に、図５に示す呼出可否テーブル記憶部５２の情報から、携帯端末４が所属するアクセスポイント９の呼出可否状態を読み取る。図５から、看護師Ｂはナースステーション、看護師Ｃは会議室、看護師Ｇは手術室にいることがわかる。更に、図５からナースステーションは呼出可、会議室は通常呼出であれば呼出不可、緊急呼出であれば呼出可、手術室であれば呼出不可であることを把握する。
今回の呼出種別がナースコール呼出であり通常呼出であるため、制御機５は看護師Ｂが携行する携帯端末４のＩＤ「００２」に対しては呼出可であることを把握して呼び出しを実施する。一方、看護師Ｃ，Ｇが携行する携帯端末４のＩＤ「００３」，「００７」に対しては呼出不可であることを認識して呼び出しを行わない。
【００２６】
尚、緊急呼出であれば、図５から看護師Ｂに加えて看護師Ｃの携帯端末４も呼出可となるため、呼び出しを実施する。一方、呼出音が鳴動する親機３で応答した場合は、ナースステーションに居る看護師が応対することになる。
また、呼出可否テーブル記憶部５２、端末所属記憶部５３はＩＰ交換機８に設けても良く、呼び出しが発生する度に制御機５がＩＰ交換機８から読み取れば良い。
【００２７】
このように、携帯端末４が所属するアクセスポイント９の位置や呼出種別によって、呼び出しの可否を判断することができるので、呼び出しが禁止された例えば手術室に設置されたアクセスポイント９に呼出先の携帯端末４が所属している場合は、呼び出しを行わないよう制御できる。よって、携帯端末４の電源をオフしなければならないエリアに電源をオンしたまま入っても不都合な事態が発生しないし、従来発生した電源オンし忘れにより、通話可能なエリアにおいて呼び出しできない事態が発生することも防止でき、看護業務をスムーズに遂行できる。
また、患者からの呼び出しを携帯端末４が受信できるエリアより、看護師が応援を呼ぶ緊急呼出を携帯端末４が受信できるエリアを広く設定でき利便性が向上する。
更に、制御機５には常に携帯端末４の現在位置が登録されるため、呼出禁止エリアで呼び出しが行われてしまうような事態が発生することがない。
【００２８】
次に本発明のナースコールシステムの他の形態を説明する。上記実施形態は、携帯端末４に応じて呼出制御を実施しているが、携帯端末４を携行する看護師に応じて呼出制御を実施する形態を説明する。この制御は、携帯端末４の携行者が固定されない場合に適用される。尚、システム全体の構成は上記図１と同様であるため説明を省略する。また、同一の構成要素には同一の符号を付与して説明する。
図６は制御機５の要部を回路ブロック図で示している。図６に示すように、子機１毎の呼出先を記憶した呼出先記憶部５１、携帯端末４とアクセスポイント９の関連付けを記憶する端末所属記憶部５３、制御機ＣＰＵ５４、制御機ＩＦ５５に加えて、アクセスポイント９毎の携帯端末４の呼出可／不可を記憶する呼出可否テーブル記憶部５２ａ、個々の看護師の優先度を記憶する看護師優先度記憶部５７を備えている。
【００２９】
但し、看護師と携帯端末４の関連付けは、例えば親機３或いはナースコールサーバ６から設定及び更新が行われる。設定及び更新された情報は呼出先記憶部５１に記憶され、上記図３に示すテーブルが記憶される。尚、端末所属記憶部５３には上記図４に示すテーブルが記憶される。
【００３０】
図７は呼出可否テーブル記憶部５２ａが記憶する呼出可否テーブルの一例を示し、図８は看護師優先度記憶部５７が記憶する優先度情報の一例を示している。図８に示すように、ここでは看護師ＩＤ「１２５９」の看護師Ａのみ優先設定され、他の看護師は通常設定となっている。ＩＤ「１２５９」の看護師Ａは、例えば看護師長が対応する。
そして、図７に示すように、優先設定された看護師に対する呼び出しは、通常呼出が禁止されている会議室においても呼出可と設定されている。
【００３１】
このように構成されたナースコールシステムの動作は以下のようである。上記形態と同様に、端末所属記憶部５３はアクセスポイント９から所属する携帯端末４の端末ＩＤ情報を制御機５が入手し、最新のデータとしている。そして、患者が子機１を操作してナースコール呼出が行われた場合は以下のように動作する。
【００３２】
ナースコール呼出による呼出信号が廊下灯２を介して制御機５に送信され、制御機５が親機３及び後述する特定の携帯端末４で呼出音を鳴動させる。
このときの携帯端末４の呼び出しついて、図７，図８を参照して具体的に説明する。呼出信号を受信した制御機５は、制御機ＣＰＵ５４の制御により呼出元の子機１に対応する携帯端末４を呼出先記憶部５１から特定する。制御機５は別途患者と看護師を関連付けた担当看護師テーブルを記憶し、呼出元の患者（子機１）を担当している看護師（が携行する携帯端末４）を読み取る。ここでは、看護師Ａ，Ｃ，Ｇの３人が担当看護師であるとし、呼出元の子機１に関連付けられているとして説明する。
【００３３】
制御機ＣＰＵ５４は、呼出先の携帯端末４がＩＤ「００１」、「００３」、「００７」の携帯端末４であることを呼出先記憶部５１の情報（図３）から読み取り、それぞれが所属しているアクセスポイント９を端末所属記憶部５３から読み取る。ここでは図４から、看護師Ａ及び看護師ＣがＩＤ「１１６」のアクセスポイント９に所属し、看護師ＧがＩＤ「１１４」のアクセスポイント９に所属していることを把握する。
【００３４】
次に呼出可否テーブル記憶部５２ａの情報（図７）から、携帯端末４が所属するアクセスポイント９の呼出可否状態を読みとる。今回の呼出種別がナースコール呼出であるため通常呼出であることより、図７からＩＤ「１１４」のアクセスポイント９は呼出不可、ＩＤ「１１６」のアクセスポイント９は優先設定された看護師のみ可、であることを読み取る。こうして、制御機ＣＰＵ５４は優先設定された看護師Ａに対してのみ呼出可であることを把握して呼び出しを実施する。一方、看護師Ｃ，Ｇが携行するＩＤ「００３」「００７」の携帯端末４に対しては呼出不可であることを認識して呼び出しを行わない。
【００３５】
尚、端末所属記憶部５３はＩＰ交換機８に設けても良く、呼び出しが発生する度に制御機５がＩＰ交換機８から読み取れば良い。
【００３６】
このように、看護師を選択して呼び出しを実施し、通常呼出が禁止され優先呼出のみ可とされた会議室等に設置されたアクセスポイント９に呼出先の看護師が所属している場合は、その看護師が優先設定されている場合のみ呼び出しを実施する。よって、携帯端末４を携行する看護師に応じて呼び出すエリアの広さを設定できるため、携行する携帯端末４が変更されてもスムーズな呼出を実施できるし、例えば看護師長に対しては他の看護師に比べて呼び出し可能エリアを広くでき、利便性が良い。
また、呼出先の携帯端末４が所属しているアクセスポイント９が呼び出し禁止エリアにある場合は、呼び出しを行わないため、携帯端末４の電源をオフしなければならないエリアに電源をオンしたまま入っても不都合な事態が発生しない。更に、従来発生した電源オンし忘れにより、通話可能なエリアにおいて呼び出しできない事態が発生することも防止でき、看護業務をスムーズに遂行できる。
【００３７】
尚、上記実施形態では、呼び出される携帯端末４の所属するアクセスポイント９に応じて、呼び出しの可否が判断される構成を説明したが、呼出禁止に設定されたアクセスポイント９に所属している状態であっても、その場から他の機器（子機１，親機３、他の携帯端末４）を呼び出すことは可能であり、呼出信号を受信した制御機ＣＰＵ５４は通常通り呼出制御を実施する。そのため、呼出操作したい場合にわざわざ移動して所属するアクセスポイント９を変更する必要が無く、スムーズな看護業務の遂行に役立つ。
また、子機１を使用したナースコール呼出を中心に説明したが、親機３から携帯端末４を呼び出す場合、更には携帯端末４から他の携帯端末４を呼び出す場合も同様の呼出制御が実施される。
更に、呼出種別を通常呼出と緊急呼出の２種類としたが、更に種別を増やしても良いし、看護師の優先設定も２種類に限定するものではない。
【符号の説明】
【００３８】
１・・ナースコール子機、２・・廊下灯、３・・ナースコール親機、４・・携帯端末、５・・制御機、９・・アクセスポイント、５１・・呼出先記憶部（看護師端末記憶部）、５２，５２ａ・・呼出可否テーブル記憶部、５３・・端末所属記憶部、５４・・制御機ＣＰＵ（携帯呼出制御部）、５７・・看護師優先度記憶部。
【図１】
2015130622.tif 000003
【図２】
2015130622.tif 000004
【図３】
2015130622.tif 000005
【図４】
2015130622.tif 000006
【図５】
2015130622.tif 000007
【図６】
2015130622.tif 000008
【図７】
2015130622.tif 000009
【図８】
2015130622.tif 000010